(57)【要約】  使い勝手のよいジャケットプリントを作成する方法及び該方法で作成されたジャケットプリントを提供するために、画像データが記録された記録媒体１０を収納するケース１３に装着されるジャケットプリント１２を作成する際に、ロール状の印刷媒体を用いてジャケットプリント１２を作成する場合は、ジャケットプリント１２の折り曲げ方向とロール状の印刷媒体の反りの方向とを考慮して作成することにより、ケース１３に加わる力を軽減してケース１３が勝手に開くなどの不具合を防止するようにした。また、ケース１３の表面又は背面の一方に対応する部分に、複数の画像データの中から選択した１つの大画像１２ａを印刷し、他方に対応する部分に複数の縮小画像１２ｂを印刷することで、記録媒体に記録された画像データを容易に識別できるようにした。【特許請求の範囲】
【請求項１】
複数の画像データが記録された記録媒体を収納するケースの表面及び背面を覆うように装着されるジャケットプリントの作成方法であって、
所定の幅のロール状の印刷媒体を用い、
該印刷媒体の外周面側かつ前記所定の幅の方向と直交する長手方向に、
前記ケースの表面及び背面の各々に対応する部分を並べて印刷すること
を特徴とするジャケットプリントの作成方法。
【請求項２】
複数の画像データが記録された記録媒体を収納するケースの表面及び背面を覆うように装着されるジャケットプリントの作成方法であって、
所定の幅のロール状の印刷媒体を用い、
該印刷媒体の前記所定の幅の方向に、前記ケースの表面及び背面の各々に対応する部分を並べて印刷すること
を特徴とするジャケットプリントの作成方法。
【請求項３】
前記ケースの表面及び背面の各々に対応する部分に画像を印刷するための印刷データは、
入力した画像データを読み取り、記録媒体に記録し、読み取った画像データに基づき作成すること
を特徴とする請求の範囲第１項又は請求の範囲第２項に記載のジャケットプリントの作成方法。
【請求項４】
前記印刷データは、
複数の読み取った画像データから相対的に大きい画像を印刷するための画像データを選択し、
印刷媒体の前記ケースの表面又は背面の一方に対応する第１の部分に、
選択された画像データに基づく１つの相対的に大きい画像を印刷するための印刷データと、
前記印刷媒体の前記ケースの表面又は背面の他方に対応する第２の部分に、
前記複数の読み取った画像データに基づく複数の相対的に小さい画像を印刷するための印刷データとにより構成すること
を特徴とする請求の範囲第３項に記載のジャケットプリントの作成方法。
【請求項５】
複数の画像データが記録された記録媒体を収納するケースの表面及び背面に装着されるジャケットプリントであって、
請求の範囲第１項乃至請求の範囲第４項のいずれか１項に記載のジャケットプリントの作成方法に基づき作成された物であること
を特徴とするジャケットプリント。
【発明の詳細な説明】
【技術分野】
【０００１】
本発明は、プリント作成方法及びプリント生産物に関し、特に、画像データが記録された記録媒体を収納するケースに装着されるジャケットプリントの作成方法及び該方法で作成されたジャケットプリントに関する。
【背景技術】
【０００２】
近年、写真画像に関する様々なサービスが提供されている。例えば、写真を撮影したデジタルカメラやメディアをミニラボ等の写真店に持ち込むと、写真店ではデジタルカメラやメディアから画像データを読み取ってＣＤ−Ｒ、ＤＶＤ−Ｒなどの記録媒体に書き込んでユーザに提供するサービスを行っている。また、店舗内に設けられた無人端末（キオスク）を用いれば、ユーザ自身で記録媒体を作成することもできる。【０００３】
また、デジタルカメラやメディアから読み取った画像データを単に記録媒体に記録するのではなく、これらの画像データからスライドショーとして表示される動画データを生成（エンコード）し、該動画データに基づいてＤＶＤプレーヤやＤＶＤレコーダ、ＨＤＤレコーダ、ゲーム機などの家電機器で再生可能なデータ（以下、家電機器用データと呼ぶ。）を生成（オーサリング）し、生成したデータを画像データと共にＣＤ−ＲやＤＶＤ−Ｒなどの記録媒体に書き込むサービスも行われている。【０００４】
更に、記録媒体に記録された画像データを確認できるように、画像データの縮小画像を配列して印刷したジャケットプリントを作成し、該ジャケットプリントを記録媒体を収納するケースに装着してユーザに提供するサービスも行われている（例えば、特許文献１参照）。
【特許文献１】特開２００４−１０４３９１号公報（第４〜６頁、第１図）
【発明の開示】
【発明が解決しようとする課題】
【０００５】
しかしながら、従来のジャケットプリントは、図１１（ａ）に示すように、ケースの表面又は背面の一方に装着可能なサイズの印画紙に、画像データの縮小画像が配列して印刷されているか、もしくは、図１１（ｂ）に示すように、ケースの表面及び背面の双方に繋がった状態で装着可能なサイズの印画紙に、画像データの縮小画像が配列して印刷されているかのいずれかであったため、ユーザが必要としている画像データを複数の記録媒体の中から選択する場合に、ケースに装着されたジャケットプリント１２を一見しても、ユーザが必要としている画像データが記録されている記録媒体を容易に識別することができないという問題があった。【０００６】
また、印刷媒体として、例えば、ロール状の印画紙を用いて、図１１（ｂ）に示すようなケースの表面及び背面の双方に繋がった状態で装着されるジャケットプリントを作成する場合、折り目１５でしっかりと折り曲げておかないと、印画紙の反りによってケースに力が加わり、場合によってはケースが勝手に開いてしまい、記録媒体がケースから外れて損傷してしまうという問題もあった。【０００７】
このように従来のジャケットプリント１２では、ユーザが必要としている画像データが記録されている記録媒体を容易に識別できなかったり、印画紙の反りによってケースが勝手に開いてしまうなど、使い勝手が悪いという問題があった。【０００８】
本発明は、上記問題点に鑑みてなされたものであって、その主たる目的は、使い勝手のよいジャケットプリントを作成する方法及び該方法で作成されたジャケットプリントを提供することにある。【０００９】
具体的には、ユーザが必要としている画像データが記録された記録媒体を容易に識別することができ、また、印刷媒体の反りによってケースが勝手に開かないように、記録媒体を収納したケースに加わる力を軽減することができるジャケットプリントを作成する方法及び該方法で作成されたジャケットプリントを提供することにある。
【課題を解決するための手段】
【００１０】
本発明は、下記構成を採ることで上記目的を達成できる。
１．複数の画像データが記録された記録媒体を収納するケースの表面及び背面を覆うように装着されるジャケットプリントの作成方法であって、
所定の幅のロール状の印刷媒体を用い、
該印刷媒体の外周面側かつ前記所定の幅の方向と直交する長手方向に、
前記ケースの表面及び背面の各々に対応する部分を並べて印刷すること
を特徴とするジャケットプリントの作成方法。
２．複数の画像データが記録された記録媒体を収納するケースの表面及び背面を覆うように装着されるジャケットプリントの作成方法であって、
所定の幅のロール状の印刷媒体を用い、
該印刷媒体の前記所定の幅の方向に、前記ケースの表面及び背面の各々に対応する部分を並べて印刷すること
を特徴とするジャケットプリントの作成方法。
３．前記ケースの表面及び背面の各々に対応する部分に画像を印刷するための印刷データは、
入力した画像データを読み取り、記録媒体に記録し、読み取った画像データに基づき作成すること
を特徴とする１又は２に記載のジャケットプリントの作成方法。
４．前記印刷データは、
複数の読み取った画像データから相対的に大きい画像を印刷するための画像データを選択し、
印刷媒体の前記ケースの表面又は背面の一方に対応する第１の部分に、
選択された画像データに基づく１つの相対的に大きい画像を印刷するための印刷データと、
前記印刷媒体の前記ケースの表面又は背面の他方に対応する第２の部分に、
前記複数の読み取った画像データに基づく複数の相対的に小さい画像を印刷するための印刷データとにより構成すること
を特徴とする３に記載のジャケットプリントの作成方法。
５．複数の画像データが記録された記録媒体を収納するケースの表面及び背面に装着されるジャケットプリントであって、
１乃至４のいずれか１つに記載のジャケットプリントの作成方法に基づき作成された物であること
を特徴とするジャケットプリント。【００１１】
このように、本発明の画像データが記録された記録媒体を収納するケースの表面又は背面を覆うように装着されるジャケットプリントを、例えば、印刷媒体として、ロール状の印画紙を用いて作成する場合に、折り曲げ方向と印画紙の反りの方向とを考慮してジャケットプリントの配置や印刷面を規定しているため、ジャケットプリントの装着後にケースに加わる力を軽減してケースが勝手に開かないようにすることができ、記録媒体がケースから外れて損傷するなどの不具合を未然に防止することができる。【００１２】
また、本発明のジャケットプリントには、画像データが記録された記録媒体を収納するケースの表面又は背面の一方に対応する部分に、１つの相対的に大きい画像（大画像）が印刷され、ケースの表面又は背面の他方に対応する部分に、複数の相対的に小さい画像（縮小画像）が印刷されているため、大画像を一見してユーザが必要としている画像データが記録された記録媒体を容易に識別することができ、縮小画像を熟視して記録媒体に記録されている画像データを詳細に確認することができる。【００１３】
そして、これらの効果により、使い勝手のよいジャケットプリントを提供し、ユーザの利便性を向上させることができる。
【発明の効果】
【００１４】
本発明のジャケットプリントの作成方法及び該方法で作成されたジャケットプリントによれば、ジャケットプリントの使い勝手を向上させることができ、これにより、ユーザの利便性を向上させることができる。【００１５】
その理由は、画像データが記録された記録媒体を収納するケースの表面又は背面を覆うように装着されるジャケットプリントを、例えば、印刷媒体として、ロール状の印画紙を用いて作成する場合に、折り曲げ方向と印画紙の反りの方向とを考慮してジャケットプリントの配置や印刷面を規定しているため、ジャケットプリントの装着後にケースに加わる力を軽減してケースが勝手に開かないようにすることができ、記録媒体がケースから外れて損傷するなどの不具合を未然に防止することができるからである。【００１６】
また、ジャケットプリントには、画像データが記録された記録媒体を収納するケースの表面又は背面の一方に対応する部分に、１つの相対的に大きい画像（大画像）が印刷され、ケースの表面又は背面の他方に対応する部分に、複数の相対的に小さい画像（縮小画像）が印刷されているため、大画像を一見してユーザが必要としている画像データが記録された記録媒体を容易に識別することができ、縮小画像を熟視して記録媒体に記録されている画像データを詳細に確認することができるからである。
【図面の簡単な説明】
【００１７】
【図１】本発明の第１の実施例に係る画像記録システムの構成を模式的に示す図である。
【図２】本発明の第１の実施例に係る画像記録システムを用いた記録媒体及びジャケットプリントの作成手順を示すフローチャート図である。
【図３】本発明の第１の実施例に係るジャケットプリント（表裏一体型）の作成方法を模式的に示す図である。
【図４】本発明の第１の実施例に係るジャケットプリント（表裏分割型）の作成方法を模式的に示す図である。
【図５】本発明の第１の実施例に係るジャケットプリントの構成例を模式的に示す図である。
【図６】本発明の第１の実施例に係る記録媒体の構成例を模式的に示す図である。
【図７】本発明の第１の実施例に係る記録媒体におけるデータの記録構造を示す図である。
【図８】本発明の第２の実施例に係るジャケットプリント（表裏一体型）の作成方法を模式的に示す図である。
【図９】従来のジャケットプリント（表裏一体型）の作成方法を模式的に示す図である。
【図１０】本発明の第３の実施例に係るジャケットプリント（表裏一体型）の作成方法を模式的に示す図である。
【図１１】従来のジャケットプリントの構成を模式的に示す図である。
【符号の説明】
【００１８】
１  画像記録システム
２  記録装置
３  表示手段
４  操作手段
５  メディア装填部
６  機器接続部
７  記録媒体装填部
８  メディア
９  デジタルカメラ
１０  記録媒体
１１  印刷装置
１２  ジャケットプリント
１２ａ  大画像
１２ｂ  縮小画像
１３  ケース
１４  印画紙
１５  折り目
【発明を実施するための最良の形態】
【００１９】
本発明のジャケットプリントの作成方法は、その好ましい一実施の形態において、画像データが記録された記録媒体を収納するケースに装着されるジャケットプリントを作成する際に、ロール状の印刷媒体を用いてジャケットプリント１２を作成する場合は、ジャケットプリント１２の折り曲げ方向とロール状の印刷媒体の反りの方向とを考慮して作成することにより、ケース１３に加わる力を軽減してケース１３が勝手に開くなどの不具合を防止するようにした。また、ケース１３の表面又は背面の一方に対応する部分に、複数の画像データの中から選択した１つの大画像１２ａを印刷し、ユーザが必要としている画像データが記録された記録媒体を容易に識別できるようにした。また、他方に対応する部分に複数の縮小画像１２ｂを印刷することで、縮小画像を熟視して記録媒体に記録されている画像データを詳細に確認することができるようにした。これにより、ジャケットプリントの使い勝手を向上させてユーザの利便性を向上させることができる。
【実施例１】
【００２０】
上記実施形態について詳細に説明すべく、本発明の第１の実施例に係るジャケットプリントの作成方法及び該方法で作成されたジャケットプリントについて、図１乃至図７を参照して説明する。図１は、本実施例に係る画像記録システムの構成を模式的に示す外観図である。また、図２は、本実施例の画像記録システムを用いた記録媒体及びジャケットプリントの作成手順を示すフローチャート図であり、図３及び図４は、ジャケットプリントの作成方法を模式的に示す図である。また、図５は、本実施例のジャケットプリントの構成例を示す図、図６は記録媒体の構成例を示す図であり、図７は、記録媒体におけるデータの記録構造を示す図である。【００２１】
図１に示すように、本実施例の画像記録システム１は、入力した画像データを記録媒体１０に記録する記録装置２と、入力した画像データを用いて、記録媒体１０を収納するケース１３に装着される印刷物（以下、ジャケットプリント１２と呼ぶ。）を作成する印刷装置１１とで構成される。【００２２】
記録装置２は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部５と、デジタルカメラ９（デジタルスチルカメラ、デジタルムービーカメラ、カメラ付き携帯電話機などを含む。）等の撮影機器を有線又は無線、赤外線等によって接続するための機器接続部６と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１０を装填する記録媒体装填部７と、ボタン、キーボード、マウス等の操作手段４及びＬＣＤ、ＣＲＴ等の表示手段３とを備えている。【００２３】
また、印刷装置１１は、図示はしないが、感光材料格納部と露光処理部と現像処理部と切断処理部と感光材料を各々の処理部に搬送するための搬送ローラ、テンションローラ等からなる搬送手段とを主な構成要素としており、例えば、印刷媒体として、感光材料格納部には、ジャケットプリント１２を作成できる幅のロール状の印画紙が格納されている。【００２４】
なお、図１の構成は例示であり、画像記録システム１は、画像データを入力する手段と、入力された画像データを記録媒体１０に記録する手段と、入力された画像データを用いてジャケットプリント１２を作成する手段とを備えていればよく、画像データの入力や注文の受付を行う受付端末を備える構成としてもよいし、上記手段の全てを備えたキオスク（無人端末）などとしてもよい。また、図１では、印刷装置１１としてロール状の印画紙を印刷媒体として利用する大型の装置を示しているが、本実施例では、印刷媒体として、必ずしもロール状の印画紙を用いてジャケットプリント１２を作成する必要はなく、インクジェットプリンタなどの小型の装置としてもよい。また、ケース１３は一辺を蝶番にして開閉可能な形態であればよく、その大きさ、厚み、材質などは特に限定されない。【００２５】
次に、上記構成の画像記録システム１を用いて、画像データを記録媒体１０に記録すると共に、画像データを用いて記録媒体１０を収納するケース１３に装着されるジャケットプリント１２を作成する手順について、図２のフローチャート図を参照して説明する。【００２６】
まず、ステップＳ１０１で、記録装置２のメディア装填部５にメディア８を装填、又は、機器接続部６にデジタルカメラ９を接続し、ステップＳ１０２で、デジタルカメラ９やメディア８などから画像データ（静止画像データ、動画データ、画像情報を含むデータを総称して画像データと呼ぶ。）を読み取る。なお、ここではデジタルカメラ９又はメディア８から画像データを読み取っているが、画像データの読み取り先は任意であり、画像データが予め記録されたＣＤ−ＲやＤＶＤ−Ｒなどの記録媒体から読み取ってもよいし、インターネットなどの通信ネットワークを介して接続されているサーバなどから読み取ってもよい。【００２７】
次に、ステップＳ１０３で、後述する手順で作成するジャケットプリント１２に印刷する大画像の元となる画像データを選択する。ここで従来は、図１１に示すように、ジャケットプリント１２には複数の画像データに基づく複数の縮小画像１２ｂのみが印刷されていたため、ジャケットプリント１２を一見しただけではユーザが必要としている画像データが記録されている記録媒体１０を容易に識別することができないという問題があった。そこで、本実施例では、ジャケットプリント１２に複数の画像データに基づく複数の縮小画像１２ｂのみならず、その中から選択された１つの画像データに基づく画像を大きく表示することにより、大画像１２ａでユーザが必要としている画像データが記録されている記録媒体１０であることを容易に識別できるようにし、かつ、縮小画像１２ｂで記録媒体１０に記録される画像データの詳細な確認を可能にしている。【００２８】
なお、この記録媒体１０に記録されている画像データの中から大画像１２ａとして表示するための画像データの選択は表示手段３や操作手段４を用いてユーザが行ってもよいし、予め定められたルールに従って自動的に選択されるようにしてもよい。画像データを自動的に選択する方法としては、例えば、画像データをファイル名の降順又は昇順に並べ、任意の位置（例えば、先頭又は最後）の画像データを選択する方法や、画像データをランダムに選択する方法、公知の画像処理手段を用いて画像を解析し、適切な画像（例えば、人物が適切な大きさで写っている画像など）を選択する方法などがある。また、ジャケットプリント１２にタイトルなどを印刷する場合には、画像データの選択と共に、ユーザにコメントなどを入力させてもよい。【００２９】
次に、ステップＳ１０４で、記録装置２の記録媒体装填部７にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスクなどの記録媒体１０を装填する。この記録媒体１０として任意の記録媒体を使用してもよいが、特定種類の記録媒体１０に対してのみ画像データの記録ができるようにしてもよく、その場合は、記録媒体１０の所定の領域から記録媒体１０を識別するための識別情報を読み出して特定種類の記録媒体１０であるかを判断する。なお、この識別情報は適正な記録媒体１０に対して画像データを記録するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Ａｂｓｏｌｕｔｅ  Ｔｉｍｅ  Ｉｎ  Ｐｒｅ−ｇｒｏｏｖｅ）による情報などとすることが好ましい。【００３０】
次に、ステップＳ１０５で、必要に応じて、読み取った画像データのデータサイズを縮小したサムネイル画像データやスクリーンネイル画像データなどの縮小画像データを作成する。また、必要に応じて、読み取った画像データに基づいて動画データを生成した後、該動画データをＤＶＤプレーヤやＤＶＤレコーダ、ＨＤＤレコーダ、ゲーム機等の家電機器で再生可能なデータ（Ｖｉｄｅｏ−ＣＤ形式、ＤＶＤ−Ｖｉｄｅｏ形式、ＨＤＴＶ形式などのデータ）に変換する。上記画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。【００３１】
次に、ステップＳ１０６で、各種データを記録媒体１０に書き込む。その際、家電機器では所定の領域（ディスク型記録媒体の内側）に記録されたデータしか読み出すことができないため、ステップＳ１０５で家電機器用データを生成した場合には該家電機器用データを記録媒体１０の内側に書き込み、必要に応じてセッションをクローズした後、読み取った画像データや必要に応じて生成した縮小画像データ、情報ファイル、音楽データなどを家電機器用データの外側に書き込む。【００３２】
次に、ステップＳ１０７で、ステップＳ１０２で読み取った画像データと、ステップＳ１０３で選択した画像データとを用いて、記録媒体１０を収納するケース１３に装着されるジャケットプリント１２を作成するための印刷データを生成する。この印刷データは、画像や文字などが合成されたデータとしてもよいし、画像や文字などの印刷位置を指示する指示データとしてもよい。また、上記画像や文字などのレイアウトは表示手段３及び操作手段４を用いてユーザが行ってもよいし、予め定められたルールに従って自動的にレイアウトしてもよい。自動的にレイアウトする方法としては、例えば、予め印刷する画像の数、画像や文字の大きさ、位置などを設定しておき、そこに選択した画像や入力した文字などを嵌め込む方法などがある。【００３３】
次に、ステップＳ１０８で、生成した印刷データを印刷装置１１に送信し、印刷装置１１では、印刷データに従ってジャケットプリント１２を作成する。具体的には、図３（ａ）に示すように、感光材料格納部からロール状の印画紙１４を引き出し、露光処理部及び現像処理部で印刷データに基づいて露光／現像を行い、切断処理部でケース１３のサイズ（この場合はケース１３の表面、背面及び背表紙の幅を加えた長さ）に合わせて切断して、図３（ｂ）に示すようなジャケットプリント１２を作成する。このジャケットプリント１２には、ケース１３の表面又は背面の一方に対応する部分に、選択された画像データに基づく１つの大画像１２ａが印刷され、ケース１３の表面又は背面の他方に対応する部分に、複数の画像データに基づく複数の縮小画像１２ｂが印刷される。【００３４】
なお、大画像１２ａと縮小画像１２ｂの配置や向きは任意であり、大画像１２ａは少なくとも縮小画像１２ｂよりも大きければよく、その大きさは限定されない。また、縮小画像１２ｂの基となる複数の画像データは、ステップＳ１０２で読み取った全ての画像データとしてもよいし、その中から選択された複数の画像データとしてもよい。【００３５】
また、図３（ａ）は、ケース１３の表面及び背面を覆うように装着されるタイプのジャケットプリント１２であるが、ケース１３の表面用とケース１３の背面用の２枚１組のジャケットプリント１２を作成してもよい。その場合は、図４（ａ）に示すように、感光材料格納部からロール状の印画紙１４を引き出し、露光処理部及び現像処理部で印刷データに基づいて露光／現像を行い、図４（ｂ）に示すように、切断処理部で１組のジャケットプリント１２を両外側で切断した後、図４（ｃ）に示すように、切断処理部で１組のジャケットプリント１２の中央を切断して２枚のジャケットプリント１２に分割する。【００３６】
なお、図３及び図４では、ジャケットプリント１２の短辺と略等しい幅のロール状の印画紙１４を示したが、より幅の広い印画紙１４を用いてもよく、その場合は印画紙１４の短辺方向と直交する長手方向にも切断すればよい。また、図４では、組をなす２枚のジャケットプリント１２の対応関係を分かりやすくするために、１組のジャケットプリント１２を両外側で切断した後、中央で切断しているが、印画紙１４に画像を印刷する際に、２枚のジャケットプリント１２を対応付ける情報（対応付け情報ＩＮＦと呼ぶ。）を印刷すれば更に対応関係を分かりやすくすることができる。この対応付け情報ＩＮＦは特に限定されず、例えば、図５（ａ）に示すように、予め定められたルールに従って生成した識別情報（例えば、YYMMDDyyy_XXXXXXAAB、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z））を用いてもよいし、図５（ｂ）に示すように、同じ数字や記号、文字などを用いてもよい。【００３７】
また、図５（ｃ）に示すように、ケース１３の表面及び背面の双方に繋がった状態で装着される１枚のジャケットプリント１２に対しても対応付け情報ＩＮＦを記録してもよく、更に、図６に示すように、記録媒体１０のレーベル面などに上記対応付け情報ＩＮＦを記録すれば、記録媒体１０とジャケットプリント１２との対応付けも可能となり利便性を向上させることができる。【００３８】
そして、ステップＳ１０９で、ステップＳ１０６で画像データを記録した記録媒体１０をケース１３に収納し、ステップＳ１０８で作成したジャケットプリント１２をそのケース１３に装着して一連の処理を終了する。なお、ジャケットプリント１２の装着方法は特に限定されず、ケース１３とその外側を覆うプラスチックフィルムなどの保護材との間にジャケットプリント１２を挿入してもよいし、ケース１３の外面に粘着材や接着剤などを用いてジャケットプリント１２の一部又は全部を貼付してもよい。【００３９】
上記手順で作成された記録媒体１０のディレクトリ構造は、例えば図７（ａ）に示すようになり、画像データの格納場所を示すフォルダ（ＰＳ  Ｒｏｌｌフォルダ）内の画像データや縮小画像データ、記録媒体の管理情報が記述された管理データ（ｉｎｄｅｘ．ｐｖｍ）と、APPLフォルダ内の画像データをスライドショーとして表示させるためのスライドショープログラム、スライドショーの設定ファイルと、識別情報が記述されたデータ（ｉｄｅｎｔｉｆｉｃａｔｉｏｎ．ｔｘｔ）などでコンピュータ機器用データが構成される。このディレクトリ構造やファイル名は任意であるが、画像データの管理を容易にするために、画像データの格納場所を示すフォルダ（ＰＳ  Ｒｏｌｌ）の下位の階層にメディア８毎、機器毎、フィルム毎のデータの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々のデータをCCYYMMDDxxxxxx（CC：データの種別、YYMMDD：書き込み年月日を特定する数字、xxxxxx：シーケンシャル番号）などにリネームしてもよい。【００４０】
また、家電機器用データとしてＶｉｄｅｏ−ＣＤ形式のデータを生成した場合の記録媒体１０のディレクトリ構造は図７（ａ）に示すようになり、上記コンピュータ機器用データに加えて、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどが記録される。また、ＤＶＤ−Ｖｉｄｅｏ形式のデータを生成した場合は、図７（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などが記録される。【００４１】
このように、本実施例では、画像データが記録された記録媒体１０を収納するケース１３に装着するジャケットプリント１２には、ケース１３の表面又は背面の一方に対応する部分に、選択された画像データに基づく１つの大画像１２ａが印刷され、ケース１３の表面又は背面の他方に対応する部分に、複数の画像データに基づく複数の縮小画像１２ｂが印刷されているため、大画像１２ａを一見してユーザが必要としている画像データが記録された記録媒体１０を容易に識別することができ、更に縮小画像１２ｂを熟視して記録媒体１０に記録されている画像データを詳細に確認することができ、これにより、ジャケットプリント１２の使い勝手を向上させることができる。
【実施例２】
【００４２】
次に、本発明の第２の実施例に係るジャケットプリントの作成方法及び該方法で作成されたジャケットプリントについて、図８及び図９を参照して説明する。図８は、本実施例のジャケットプリントの作成方法を模式的に示す図であり、図９は、従来のジャケットプリントの作成方法を模式的に示す図である。【００４３】
前記した第１の実施例では、ジャケットプリント１２に大画像１２ａと縮小画像１２ｂとを組み合わせて印刷する構成について示したが、ジャケットプリント１２をロール状の印画紙１４で作成する場合、ケース１３のサイズに合わせて切断した後、ジャケットプリント１２は元の形状に戻ろうとして反りが生じてしまう。その際、ジャケットプリント１２をケース１３の表面用と背面用の２枚に分割した場合は反りが生じても問題はないが、ケース１３の表面及び背面の双方に繋がった状態で装着される１枚の長いジャケットプリント１２を作成した場合、図９に示すように、ロール状の印画紙１４の反りの方向（図９（ｂ）参照）と、ケース１３を閉じる方向（図９（ｃ）参照）とが逆向きになると、反りによってケース１３を開ける方向に力が働いてしまい、その結果、ケース１３が勝手に開いて収納した記録媒体１０が外れて損傷するなどの不具合が生じる恐れがある。【００４４】
そこで、本実施例では、ロール状の印画紙１４を用いて、ケース１３の表面及び背面の双方に繋がった状態で装着される１枚の長いジャケットプリント１２を作成する場合には、図８（ａ）に示すように、ロール状の印画紙１４の外側（外周面側）にジャケットプリント１２が印刷されるようにする。これにより、ロール状の印画紙１４の反りの方向（図８（ｂ）参照）と、ケース１３を閉じる方向（図８（ｃ）参照）とが同じ向きになるため、反りによってケース１３が勝手に開いてしまうという不具合を防止することができ、これによりジャケットプリント１２の使い勝手を向上させることができる。【００４５】
なお、図８では、ジャケットプリント１２に１つの大画像１２ａと複数の縮小画像１２ｂとを印刷したが、本実施例はジャケットプリント１２の反りによる不具合を防止することが目的であるため、ケース１３の表面に対応する部分と背面に対応する部分とに同じ種類の画像（例えば、両方に複数の縮小画像１２ｂ）を印刷してもよいし、画像以外の情報を印刷してもよい。また、図８では、ジャケットプリント１２の短辺と略等しい幅のロール状の印画紙１４を所定の幅の印画紙として示したが、より幅の広い印画紙１４を用いてもよく、その場合は印画紙１４の所定の幅の方向と直交する長手方向にも切断すればよい。
【実施例３】
【００４６】
次に、本発明の第３の実施例に係るジャケットプリントの作成方法及び該方法で作成されたジャケットプリントについて、図１０を参照して説明する。図１０は、本実施例のジャケットプリントの作成方法を模式的に示す図である。【００４７】
前記した第２の実施例では、ロール状の印画紙１４の反りの方向とケース１３を閉じる方向とが同じ方向になるようにジャケットプリント１２の印刷面を規定することによってケース１３を開ける方向に力が働かないようにしたが、ロール状の印画紙１４の反りの方向とケース１３を閉じる方向、すなわち、ジャケットプリント１２を折り曲げる方向とを直交させることによってもロール状の印画紙１４の反りを抑制することが可能である。【００４８】
具体的に説明すると、ロール状の印画紙１４を用いて、ケース１３の表面及び背面の双方に繋がった状態で装着される１枚の長いジャケットプリント１２を作成する場合に、図１０（ａ）に示すように、ジャケットプリント１２の長辺と略等しい幅のロール状の印画紙１４を用い、印画紙１４の幅の方向と直交する長手方向と折り目１５の方向とが一致するようにジャケットプリント１２を印刷する。これにより、図１０（ｂ）に示すようにジャケットプリント１２が反ったとしても、図１０（ｃ）に示すように折り目１５で折り曲げることにより反りが抑制され、反りによってケース１３が勝手に開いてしまうという不具合を防止することができ、これによりジャケットプリント１２の使い勝手を向上させることができる。【００４９】
なお、図１０では、ジャケットプリント１２に１つの大画像１２ａと複数の縮小画像１２ｂとを印刷したが、第２の実施例と同様に、ケース１３の表面に対応する部分とケース１３の背面に対応する部分とに同じ種類の画像（例えば、両方に複数の縮小画像１２ｂ）を印刷してもよいし、画像以外の情報を印刷してもよい。また、図１０ではロール状の印画紙１４の外側（外周面側）にジャケットプリント１２を印刷したが、本実施例では、印画紙１４の反りの方向と折り曲げる方向とが直交すればよく、ロール状の印画紙１４の内側（内周面側）にジャケットプリント１２を印刷してもよい。また、図１０では、ジャケットプリント１２の長辺と略等しい幅のロール状の印画紙１４を示したが、より幅の広い印画紙１４を用いてもよく、その場合は印画紙１４の長手方向にも切断すればよい。【００５０】
また、上記各実施例では、デジタルカメラで撮影して取得した画像データに基づいてジャケットプリント１２を作成したが、本発明は上記実施例に限定されるものではなく、ネガフィルムなどから読み取った画像データに基づいてジャケットプリント１２を作成する場合についても同様に適用することができ、また、音楽データが記録される記録媒体を収納するケースに装着される、アーティストの写真や楽曲名などが印刷されたジャケットプリントについても同様に適用することができる。
【図１】
2006100894.tif 000002
【図２】
2006100894.tif 000003
【図３】
2006100894.tif 000004
【図４】
2006100894.tif 000005
【図５】
2006100894.tif 000006
【図６】
2006100894.tif 000007
【図７】
2006100894.tif 000008
【図８】
2006100894.tif 000009
【図９】
2006100894.tif 000010
【図１０】
2006100894.tif 000011
【図１１】
2006100894.tif 000012
【国際調査報告】
2006100894.tif 000013
2006100894.tif 000014
2006100894.tif 000015
2006100894.tif 000016